(57)【要約】【課題】電子機器において、あいまい検索に関する利便性を向上する。【解決手段】実施形態の電子機器は、ユーザによって入力されたキーワードである入力キーワードを受け付け、入力キーワードと、第１の辞書情報と、に基いて、他の電子機器の標準キーワードを検索して特定するとともに、特定された他の電子機器の標準キーワードと、第２の辞書情報と、に基いて、電子機器の標準キーワードを検索して特定し、特定された電子機器の標準キーワードを含む電子機器の設定項目をユーザに提示する。【選択図】図３
2019164569.tif 000002
【特許請求の範囲】
【請求項１】
ユーザが設定する複数の設定項目を有する電子機器であって、
前記電子機器とは異なる他の電子機器に関する辞書情報であって、前記他の電子機器の設定項目の項目名に含まれるキーワードである標準キーワードと、１以上のキーワードと、が対応付けられた第１の辞書情報、
ならびに、
前記電子機器に関する辞書情報であって、前記電子機器の前記標準キーワードと、１以上のキーワード、および、前記他の電子機器の前記標準キーワードと、が対応付けられた第２の辞書情報を参照する参照手段と、
前記他の電子機器の識別情報を取得する取得手段と、
前記ユーザによって入力されたキーワードである入力キーワードを受け付ける受付手段と、
前記入力キーワードと、前記取得手段によって取得された前記識別情報に対応する前記他の電子機器に関する前記第１の辞書情報と、に基いて、前記他の電子機器の前記標準キーワードを検索して特定するとともに、特定された前記他の電子機器の前記標準キーワードと、前記第２の辞書情報と、に基いて、前記電子機器の前記標準キーワードを検索して特定する検索手段と、
前記検索手段によって特定された前記電子機器の前記標準キーワードを含む前記電子機器の設定項目を前記ユーザに提示する提示手段と、
を備える電子機器。
【請求項２】
前記取得手段は、前記他の電子機器から当該他の電子機器の識別情報を受信することにより、または、ユーザによって入力された前記他の電子機器の識別情報に基いて、前記他の電子機器の識別情報を取得する、請求項１に記載の電子機器。
【請求項３】
前記第１の辞書情報における前記キーワードは、前記他の電子機器の前記標準キーワードと部分一致のキーワード、および、当該標準キーワードから連想されるキーワードのうち少なくともいずれかを含む、請求項１に記載の電子機器。
【請求項４】
前記参照手段は、前記電子機器とは異なる装置にアクセスすることで、当該装置に記憶されている前記第１の辞書情報と前記第２の辞書情報を参照する、請求項１に記載の電子機器。
【請求項５】
前記提示手段は、前記検索手段によって特定された前記電子機器の前記標準キーワードを含む前記電子機器の複数の設定項目の一覧を表示して、当該一覧の中からユーザによって選択された前記設定項目に対応する設定画面を前記ユーザに提示する、請求項１に記載の電子機器。
【請求項６】
ユーザの識別情報とユーザが利用した電子機器の識別情報とが対応付けられた履歴情報に基いて、前記電子機器の使用開始前の所定期間内にユーザが最も多く利用していた前記他の電子機器の識別情報を取得する第２の取得手段をさらに備え、
前記検索手段は、前記入力キーワードと、前記第２の取得手段によって取得された前記識別情報に対応する前記他の電子機器に関する前記第１の辞書情報と、に基いて、前記他の電子機器の前記標準キーワードを検索して特定する、請求項１に記載の電子機器。
【請求項７】
ユーザが設定する複数の設定項目を有する電子機器とは異なる他の電子機器に関する辞書情報であって、前記他の電子機器の設定項目の項目名に含まれるキーワードである標準キーワードと、１以上のキーワードと、が対応付けられた第１の辞書情報、ならびに、前記電子機器に関する辞書情報であって、前記電子機器の前記標準キーワードと、１以上のキーワード、および、前記他の電子機器の前記標準キーワードと、が対応付けられた第２の辞書情報に基いて行う検索方法であって、
前記他の電子機器の識別情報を取得する取得ステップと、
前記ユーザによって入力されたキーワードである入力キーワードを受け付ける受付ステップと、
前記入力キーワードと、前記取得ステップによって取得された前記識別情報に対応する前記他の電子機器に関する前記第１の辞書情報と、に基いて、前記他の電子機器の前記標準キーワードを検索して特定するとともに、特定された前記他の電子機器の前記標準キーワードと、前記第２の辞書情報と、に基いて、前記電子機器の前記標準キーワードを検索して特定する検索ステップと、
前記検索ステップによって特定された前記電子機器の前記標準キーワードを含む前記電子機器の設定項目を前記ユーザに提示する提示ステップと、
を含む検索方法。
【請求項８】
ユーザが設定する複数の設定項目を有する電子機器とは異なる他の電子機器に関する辞書情報であって、前記他の電子機器の設定項目の項目名に含まれるキーワードである標準キーワードと、１以上のキーワードと、が対応付けられた第１の辞書情報、ならびに、前記電子機器に関する辞書情報であって、前記電子機器の前記標準キーワードと、１以上のキーワード、および、前記他の電子機器の前記標準キーワードと、が対応付けられた第２の辞書情報を参照可能な前記電子機器に、
前記他の電子機器の識別情報を取得する取得ステップと、
前記ユーザによって入力されたキーワードである入力キーワードを受け付ける受付ステップと、
前記入力キーワードと、前記取得ステップによって取得された前記識別情報に対応する前記他の電子機器に関する前記第１の辞書情報と、に基いて、前記他の電子機器の前記標準キーワードを検索して特定するとともに、特定された前記他の電子機器の前記標準キーワードと、前記第２の辞書情報と、に基いて、前記電子機器の前記標準キーワードを検索して特定する検索ステップと、
前記検索ステップによって特定された前記電子機器の前記標準キーワードを含む前記電子機器の設定項目を前記ユーザに提示する提示ステップと、
を実行させるためのプログラム。
【発明の詳細な説明】
【技術分野】
【０００１】
本発明は、電子機器、検索方法、および、プログラムに関する。
【背景技術】
【０００２】
従来、電子機器（例えば複合機）に対して設定を行うときに、ユーザは、まず、複数の設定項目のうちの所望の設定項目を画面上に表示させる必要がある。その場合、ユーザが短時間で所望の設定項目を画面上に表示させることができるように、ユーザにキーワードを入力させ、設定項目の項目名に含まれる標準用語と複数のキーワードとが対応付けられた辞書データを、入力されたキーワードで検索し、検索された標準用語を含む設定項目を画面上に表示する技術がある。
【０００３】
この場合、ユーザは、標準用語に完全一致するキーワードを入力しなくても、辞書データに登録されているキーワード（類義語）を入力することによって、所望の設定項目を画面上に表示させることができる。このような機能は、一般に、あいまい検索と呼ばれている。例えば、異なる種類の複合機では、同じ設定項目であっても標準用語が異なる場合がある（例えば、ファクス、ファックス、ＦＡＸ）。したがって、電子機器を他種の電子機器に切り替える場合に、このあいまい検索を可能にしておくことは有効である。
【発明の概要】
【発明が解決しようとする課題】
【０００４】
しかしながら、例えば、種類の多い電子機器の場合、従来の手法であいまい検索を実現すると、辞書データが膨大になって応答性が落ちてしまったり、１つのキーワードが複数の設定項目に対応付けられていて検索で所望の設定項目に辿り着けなかったりすることがあって、利便性の面で改善の余地があった。
【０００５】
そこで、本発明は、上述の事情に鑑みてなされたものであって、あいまい検索に関する利便性を向上した電子機器、検索方法、および、プログラムを提供することを課題とする。
【課題を解決するための手段】
【０００６】
上述した課題を解決するために、本発明の実施形態の電子機器は、ユーザが設定する複数の設定項目を有する電子機器である。電子機器は、前記電子機器とは異なる他の電子機器に関する辞書情報であって、前記他の電子機器の設定項目の項目名に含まれるキーワードである標準キーワードと、１以上のキーワードと、が対応付けられた第１の辞書情報、ならびに、前記電子機器に関する辞書情報であって、前記電子機器の前記標準キーワードと、１以上のキーワード、および、前記他の電子機器の前記標準キーワードと、が対応付けられた第２の辞書情報を参照する参照手段と、前記他の電子機器の識別情報を取得する取得手段と、前記ユーザによって入力されたキーワードである入力キーワードを受け付ける受付手段と、前記入力キーワードと、前記取得手段によって取得された前記識別情報に対応する前記他の電子機器に関する前記第１の辞書情報と、に基いて、前記他の電子機器の前記標準キーワードを検索して特定するとともに、特定された前記他の電子機器の前記標準キーワードと、前記第２の辞書情報と、に基いて、前記電子機器の前記標準キーワードを検索して特定する検索手段と、前記検索手段によって特定された前記電子機器の前記標準キーワードを含む前記電子機器の設定項目を前記ユーザに提示する提示手段と、を備える。
【発明の効果】
【０００７】
本発明によれば、あいまい検索に関する利便性が向上するという効果を奏する。
【図面の簡単な説明】
【０００８】
【図１】図１は、実施形態のＭＦＰの外観構成図である。
【図２】図２は、実施形態のＭＦＰのハードウェア構成図である。
【図３】図３は、実施形態のＭＦＰの機能構成図である。
【図４】図４は、実施形態における第１の検索画面例を示す図である。
【図５】図５は、実施形態における設定画面例を示す図である。
【図６】図６は、実施形態の第１の辞書情報を示す図である。
【図７】図７は、実施形態の第３の辞書情報を示す図である。
【図８】図８は、実施形態の第２の辞書情報を示す図である。
【図９】図９は、実施形態における第２の検索画面例を示す図である。
【図１０】図１０は、実施形態において電子機器を置き換える場合のデータ登録の説明図である。
【図１１】図１１は、実施形態のＭＦＰによる設定項目の検索等の処理を示すフローチャートである。
【発明を実施するための形態】
【０００９】
以下、添付図面を参照しながら、本発明に係る電子機器、検索方法、および、プログラムの実施形態を詳細に説明する。
【００１０】
図１は、実施形態のＭＦＰ（Multifunction  Peripheral：複合機）１の外観構成図である。ＭＦＰ１は電子機器の一例である。ＭＦＰ１は、コピー機能、スキャナ機能、ファクス機能、プリンタ機能などの各種の機能の内の、少なくとも２つ以上の機能を備えるものである。
【００１１】
図１に示すＭＦＰ１は、本体１０と操作機器２０とを有する。本体１０は、原稿をスキャニングするスキャナユニット１０−１や用紙などの被記録媒体に画像を形成する画像形成ユニット１０−２などを有し、コピーやスキャニングなどのサービスを提供する。
【００１２】
操作機器２０は、操作パネル２７を有し、ユーザの操作を受け付ける。操作機器２０には、本体１０のサービスをユーザに利用させるための各種のアプリケーションがプレインストールされている。
【００１３】
図２は、実施形態のＭＦＰ１のハードウェア構成図である。図２に示すように、本体１０と操作機器２０は、通信路３００を介して接続されている。通信路３００は、有線または無線の通信路である。以下、まず、本体１０のハードウェア構成について説明し、続いて操作機器２０のハードウェア構成について説明する。
【００１４】
図２に示すように、本体１０は、ＣＰＵ（Central  Processing  Unit）１１と、ＲＯＭ（Read  Only  Memory）１２と、ＲＡＭ（Random  Access  Memory）１３と、ＨＤＤ（Hard  Disk  Drive）１４と、通信Ｉ／Ｆ（インタフェース）１５と、接続Ｉ／Ｆ１６と、読取部１７と、印刷部１８と、を備え、これらがシステムバス１９を介して相互に接続されている。
【００１５】
ＣＰＵ１１は、本体１０の動作を統括的に制御する。ＣＰＵ１１は、ＲＡＭ１３をワークエリア（作業領域）としてＲＯＭ１２またはＨＤＤ１４等に格納されたプログラムを実行し、本体１０全体の動作を統括的に制御する。
【００１６】
通信Ｉ／Ｆ１５は、ＬＡＮ（Local  Area  Network）等のネットワーク４０に接続するためのＥｔｈｅｒｎｅｔ（登録商標）、Ｗｉ−Ｆｉ（登録商標）等のインタフェースである。
【００１７】
接続Ｉ／Ｆ１６は、通信路３００を介して操作機器２０と通信するＵＳＢ（Universal  Serial  Bus）規格等のインタフェースである。
【００１８】
読取部１７は、コピー機能、スキャナ機能、及びファクシミリ機能を実現するための処理を行うハードウェアである。読取部１７は、例えば原稿の画像をスキャンして読み取るスキャナ等を含む。
【００１９】
印刷部１８は、プリンタ機能を実現するための処理を行うハードウェアである。印刷部１８は、例えば媒体への印刷を行うプロッタ等を含む。印刷部１８は、さらに印刷済みの媒体を仕分けるフィニッシャ、原稿を自動給送するＡＤＦ（Auto  Document  Feeder）等の特定のオプションを実現するためのハードウェアを含んでもよい。
【００２０】
次に、操作機器２０のハードウェア構成について説明する。図２に示すように、操作機器２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７と、メモリカード接続Ｉ／Ｆ２８と、外部接続Ｉ／Ｆ２９と、を備え、これらがシステムバス３０を介して相互に接続されている。
【００２１】
ＣＰＵ２１は、操作機器２０の動作を統括的に制御する。ＣＰＵ２１は、ＲＡＭ２３をワークエリア（作業領域）としてＲＯＭ２２またはフラッシュメモリ２４に格納されたプログラムを実行し、操作機器２０全体を制御する。
【００２２】
通信Ｉ／Ｆ２５は、ネットワーク４０に接続する無線ＬＡＮ規格等のインタフェースである。
【００２３】
接続Ｉ／Ｆ２６は、通信路３００を介して本体１０と通信するＵＳＢ規格等のインタフェースである。
【００２４】
操作パネル２７は、ユーザの操作に応じた各種の入力を受け付けるとともに、各種の情報（例えば、検索画面、設定画面、ＭＦＰ１の動作状況等に関する情報等）を表示する。操作パネル２７は、例えば、タッチパネル機構を搭載した液晶表示装置、有機ＥＬ（Electro-Luminescence）表示装置等を利用して構成される。なお、操作パネル２７に付随して、ユーザインタフェースとしてのハードウェアキー（ボタン）やランプ等が設けられてもよい。  
【００２５】
メモリカード接続Ｉ／Ｆ２８は、ＳＤ（Secure  Digital）カード等のメモリカード３と接続するためのインタフェースである。
【００２６】
外部接続Ｉ／Ｆ２９は、ＩＣ（Integrated  Circuit）カードリーダ等と接続するためのインタフェースである。
【００２７】
図３は、実施形態のＭＦＰ１の機能構成図である。処理部５１は、ＣＰＵ２１がプログラムをＲＡＭ２３に読み出して実行することにより実現される機能部として、参照手段５１１と、取得手段５１２と、受付手段５１３と、検索手段５１４と、提示手段５１５と、を備える。また、記憶部５２は、例えば、フラッシュメモリ２４やＨＤＤ１４によって実現され、第１の辞書情報、第２の辞書情報等を記憶する。第１の辞書情報と第２の辞書情報は、例えば、メモリカード３からメモリカード接続Ｉ／Ｆ２８を介してフラッシュメモリ２４やＨＤＤ１４に送られ、記憶される。なお、第１の辞書情報と第２の辞書情報の少なくともいずれかは、ＭＦＰ１とは異なる装置（例えばサーバ等）で管理されてもよい。
【００２８】
ここで、図６、図７、図８を参照して、第１の辞書情報と第２の辞書情報と第３の辞書情報について説明する。以下では、ユーザが、使い慣れた複合機Ａ（他の複合機）から、新しい複合機（ＭＦＰ１）に切り替える場合を例にとって説明する。複合機Ａ、複合機Ｂは、それぞれ、ユーザが設定する複数の設定項目を有する。
【００２９】
図６は、実施形態の第１の辞書情報を示す図である。この第１の辞書情報は、複合機Ａで使用されている辞書情報であり、また、複合機Ｂでも使用される。第１の辞書情報では、標準用語（設定項目の項目名に含まれるキーワードである標準キーワード。第２の辞書情報、第３の辞書情報でも同様。）の「ファクス」に対応して、あいまい語（キーワード）１の「ファックス」と、あいまい語２の「ＦＡＸ」が登録されている。また、標準用語の「ホチキス」に対応して、あいまい語１の「ホッチキス」が登録されている。なお、第１の辞書情報におけるあいまい語（キーワード）は、例えば、標準用語と部分一致のキーワード、および、標準用語から連想されるキーワードのうち少なくともいずれかを含む（第２の辞書情報、第３の辞書情報も同様）。
【００３０】
図７は、実施形態の第３の辞書情報を示す図である。この第３の辞書情報は、複合機Ｂで当初使用されている辞書情報である。第３の辞書情報では、標準用語の「ファクス」に対応して、あいまい語１の「ファックス」と、あいまい語２の「ＦＡＸ」が登録されている。また、標準用語の「ステープル」に対応して、あいまい語１の「ステープラ」と、あいまい語２の「Ｓｔａｐｌｅ」と、あいまい語３の「Ｓｔａｐｌｅｒ」と、が登録されている。なお、ホチキスとステープルは概念的には同一である。
【００３１】
複合機Ａを使い慣れたユーザが、このような第３の辞書情報を有する複合機Ｂを使用して設定項目を検索する場合、複合機Ａの標準用語やあいまい語を入力してしまう場合がある。例えば、ユーザは、複合機Ｂにおいて、キーワードとして「ホチキス」や「ホッチキス」を入力して検索しても、第３の辞書情報にはそれらのキーワードが登録されていないので、所望の設定項目に辿り着くことができない。
【００３２】
そこで、複合機Ｂでは、第３の辞書情報に情報を追加した第２の辞書情報を使用する。図８は、実施形態の第２の辞書情報を示す図である。第２の辞書情報では、標準用語の「ファクス」に対応して、あいまい語１の「ファックス」と、あいまい語２の「ＦＡＸ」と、複合機Ａの標準用語である「ファクス」と、複合機Ｃの標準用語である「間接送信」と、が登録されている。また、標準用語の「ステープル」に対応して、あいまい語１の「ステープラ」と、あいまい語２の「Ｓｔａｐｌｅ」と、あいまい語３の「Ｓｔａｐｌｅｒ」と、複合機Ａの標準用語である「ホチキス」と、複合機Ｃの標準用語である「ステープル」と、が登録されている。
【００３３】
つまり、複合機Ｂの辞書情報である第２の辞書情報において、他の複合機（複合機Ａ、複合機Ｃ）の標準用語を対応付ける。これにより、例えば、ユーザが「ホチキス」や「ホッチキス」で設定項目を検索した場合に、複合機Ｂの標準用語の「ステープル」に辿り着ける（詳細は後述）。
【００３４】
図３に戻って、参照手段５１１は、記憶部５２に記憶された第１の辞書情報と第２の辞書情報を参照する。なお、第１の辞書情報と第２の辞書情報がＭＦＰ１とは異なる装置（例えばサーバ等）で管理（記憶）されている場合は、参照手段５１１は、当該装置にアクセスすることで当該装置に記憶されている第１の辞書情報と第２の辞書情報を参照する。
【００３５】
取得手段５１２は、ＭＦＰ１（複合機Ｂ）とは異なる他の複合機（複合機Ａ、複合機Ｃ）の識別情報を取得する。取得手段５１２は、例えば、他の複合機から当該他の複合機の識別情報を受信することにより、または、ユーザによって入力された他の複合機の識別情報に基いて、他の複合機の識別情報を取得する。
【００３６】
受付手段５１３は、ユーザによって入力されたキーワードである入力キーワード（例えば「ホッチキス」）を受け付ける。
【００３７】
検索手段５１４は、入力キーワード（例えば「ホッチキス」）と、取得手段５１２によって取得された識別情報に対応する他の複合機（例えば複合機Ａ）に関する第１の辞書情報（図６）と、に基いて、他の電子機器（例えば複合機Ａ）の標準用語（例えば「ホチキス」）を検索して特定する。また、検索手段５１４は、特定された他の複合機の標準用語（例えば「ホチキス」）と、第２の辞書情報（図８）と、に基いて、ＭＦＰ１の標準用語（例えば「ステープル」）を検索して特定する。
【００３８】
提示手段５１５は、検索手段５１４によって特定されたＭＦＰ１の標準用語（例えば「ステープル」）に基いて、ＭＦＰ１の標準用語を含む設定項目をユーザに提示する。提示手段５１５は、例えば、検索手段５１４によって特定されたＭＦＰ１の標準用語を含むＭＦＰ１の複数の設定項目の一覧を操作パネル２７に表示して、当該一覧の中からユーザによって選択された設定項目に対応する設定画面をユーザに提示（表示）する。
【００３９】
なお、以下において、処理部５１における各部５１１〜５１５以外の処理については、動作主体を「処理部５１」と表記する。
【００４０】
次に、検索画面について説明する。図４は、実施形態における第１の検索画面例を示す図である。ユーザは、ＭＦＰ１に対して設定を行うときに、複数の設定項目のうちの所望の設定項目を操作パネル２７上に表示させるために、検索画面でキーワードを入力する。図４は、ユーザが、キーワードとして「ＦＡＸ」を入力し、その後に右上の「検索開始」のボタンを押してそのキーワードに対応した検索結果が表示された場合を示している。そして、図４の「ファクス初期設定」のボタンが押されると、図５の設定画面に遷移する。図５は、実施形態における設定画面例を示す図である。
【００４１】
また、図９は、実施形態における第２の検索画面例を示す図である。図９は、ユーザが、キーワードとして「ホッチキス」を入力し、その後に右上の「検索開始」のボタンを押してそのキーワードに対応した検索結果（「ステープル設定１」、「ステープル設定２」）が表示された場合を示している（処理の詳細は後述）。なお、「ステープル設定１」と「ステープル設定２」の情報は、ＭＦＰ１における標準用語である「ステープル」と対応付けられている。
【００４２】
次に、複合機を置き換える場合のデータ登録について説明する。図１０は、実施形態において複合機を置き換える場合のデータ登録の説明図である。ここでは、複合機が、複合機Ａから複合機Ｂ（ＭＦＰ１）に置き換えられるものとする。また、同一サブネット内に複合機Ｃ、複合機Ｄが既に設置されているものとする。
【００４３】
この場合、ユーザは、複合機Ｂ（ＭＦＰ１）に対して、メモリカード３を使用して、または、操作パネル２７上で操作することによって、それまで使用していた置き換え元の複合機Ａに関する第１の辞書情報を登録する（符号（１））。
【００４４】
また、複合機Ｂ（ＭＦＰ１）は、定期的な処理において、ＭＩＢ（Management  Information  Base）情報を用いて複合機Ｃ、複合機Ｄに関する機種情報を登録する（符号（２））。なお、複合機Ｃ、複合機Ｄ等を一括で管理しているサーバが存在すれば、複合機Ｂ（ＭＦＰ１）は、そのサーバが保持している複合機Ｃ、複合機Ｄの機種情報を取得して登録する（符号（３））。また、ユーザは、複合機Ｂ（ＭＦＰ１）に対して、メモリカード３を使用して、または、操作パネル２７上で操作することによって、複合機Ｃ、複合機Ｄに関する第１の辞書情報を登録する。また、ユーザは、複合機Ｂ（ＭＦＰ１）に対して、メモリカード３を使用して、または、操作パネル２７上で操作することによって、あるいは、その他の手段によって、複合機Ｂに関する第２の辞書情報を登録する。
【００４５】
次に、ＭＦＰ１による設定項目の検索等の処理について説明する。図１１は、実施形態のＭＦＰ１による設定項目の検索等の処理を示すフローチャートである。ユーザは、ＭＦＰ１に対して設定を行うときに、ＭＦＰ１に置き換える前に使っていた他の複合機（例えば複合機Ａ）の識別情報を操作パネル２７によって入力する。そうすると、取得手段５１２は、ＭＦＰ１とは異なる他の複合機（例えば複合機Ａ）の識別情報を取得する（ステップＳ１）。
【００４６】
ここで、ユーザは、例えば、複合機Ａのときに使っていたキーワード（例えば「ホッチキス」）を入力する。そうすると、受付手段５１３は、ユーザによって入力されたキーワードである入力キーワード（例えば「ホッチキス」）を受け付ける（ステップＳ２）。
【００４７】
次に、検索手段５１４は、入力キーワード（例えば「ホッチキス」）と、ステップＳ１取得された識別情報に対応する他の複合機（例えば複合機Ａ）に関する第１の辞書情報（図６）に基いて、他の電子機器（例えば複合機Ａ）の標準用語（例えば「ホチキス」）を検索して特定する（ステップＳ３）。
【００４８】
次に、検索手段５１４は、ステップＳ３で特定された他の複合機（例えば複合機Ａ）の標準用語（例えば「ホチキス」）と、第２の辞書情報（図８）と、に基いて、ＭＦＰ１の標準用語（例えば「ステープル」）を検索して特定する（ステップＳ４）。
【００４９】
次に、提示手段５１５は、ステップＳ４で特定されたＭＦＰ１の標準用語（例えば「ステープル」）に基いて、ＭＦＰ１の標準用語を含む設定項目をユーザに提示する（図９）（ステップＳ５）。提示手段５１５は、例えば、検索手段５１４によって特定されたＭＦＰ１の標準用語を含むＭＦＰ１の複数の設定項目の一覧を操作パネル２７に表示して、当該一覧の中からユーザによって選択された設定項目に対応する設定画面をユーザに提示（表示）する。
【００５０】
このようにして、本実施形態によれば、あいまい検索に関する利便性を向上したＭＦＰ１を実現することができる。具体的には、例えば、複合機ＡからＭＦＰ１に置き換えたときに、ユーザは、複合機Ａのときに使っていたキーワード「ホッチキス」を入力することで、ＭＦＰ１で使用されているキーワード「ステープル」の設定項目の画面（図９）を迅速かつ容易に表示させることができる。
【００５１】
また、ユーザは、ＭＦＰ１に対して、メモリカード３を使用して、または、操作パネル２７上で操作することによって、他の複合機（例えば、複合機Ａ、複合機Ｃ）に関する第１の辞書情報を容易に登録することができる。そして、ＭＦＰ１は、第２の辞書情報に対して、新たに登録された第１の辞書情報をマージ（統合）することで、第２の辞書情報を容易に更新することができる。つまり、本実施形態のＭＦＰ１によれば、容易に、第１の辞書情報を追加して第２の辞書情報をカスタマイズすることができる。
【００５２】
（変形例）
上述の実施形態では、ユーザは、ＭＦＰ１に対して設定を行うときに、ＭＦＰ１に置き換える前に使っていた他の複合機（例えば複合機Ａ）の識別情報を操作パネル２７によって入力するものとした。その代わりに、ユーザが複合機を利用することによって作成される利用履歴に基いて、他の複合機を特定するようにしてもよい。利用履歴を管理する利用履歴テーブルの例は、以下の通りである。なお、ユーザを認証する認証部を処理部５１内に設ける。
【表１】
2019164569.tif 000003
【００５３】
ユーザＩＤ（Identifier）は、ユーザを一意に特定するための識別情報である。ユーザが複合機にログインするときに、認証部はユーザによって操作パネル２７を介して入力されたユーザＩＤ及びパスワードを取得し、ユーザ認証を行う。ユーザ認証が成功した場合に、認証部は、ユーザＩＤと、ログインした日時と、複合機の機種情報を例えばサーバに送信し、利用履歴テーブルに登録させる。ユーザ認証としては公知技術を使えばよい。また、ユーザを識別する識別情報として、ユーザＩＤのほかに、ＩＣカードのカードＩＤや、ユーザの生体情報（指紋等）などを使ってもよい。
【００５４】
この場合、取得手段５１２（第２の取得手段）は、ユーザの識別情報（ユーザＩＤ）とユーザが利用した複合機の識別情報（機種の情報）とが対応付けられた履歴情報（利用履歴テーブル）に基いて、ＭＦＰ１の使用開始前の所定期間内にユーザが最も多く利用していた他の複合機の識別情報を取得する。そして、検索手段５１４は、入力キーワードと、取得手段５１２（第２の取得手段）によって取得された識別情報に対応する他の複合機に関する第１の辞書情報（図６）と、に基いて、他の複合機の標準用語を検索して特定する。
【００５５】
なお、「最も多く利用していた他の複合機」は、最も利用回数が多かった他の複合機であってもよいし、あるいは、最も利用時間が長かった他の複合機であってもよい。また、所定期間とは、例えば、置き換え後のＭＦＰ１にログインするときの日時を基準日時とし、基準日時までの１年間とすればよい。
【００５６】
なお、サーバが、ＭＦＰ１からの要求に応じて、送信されたユーザＩＤに対応する利用履歴に基いて「最も多く利用していた他の複合機」を特定してＭＦＰ１に応答するようにしてもよい。
【００５７】
ＭＦＰ１の処理部５１は、特定された「最も多く利用していた他の複合機」の情報を記憶しておき、ユーザがあいまい検索を指示したときに、この情報に対応する複合機（例えば複合機Ａ）に関する第１の辞書情報と、第２の辞書情報と、に基いて、検索対象の用語（ＭＦＰ１の標準用語）を特定する。このようにすれば、ユーザは、他の複合機の識別番号を入力することなく、以前によく使っていた他の複合機におけるキーワードであいまい検索を行うことができる。
【００５８】
実施形態及び各変形例の各機能は、１または複数の処理回路によって実現することが可能である。ここで、本明細書における「処理回路」とは、電子回路により実装されるプロセッサのようにソフトウェアによって上記で説明した各機能を実行するようプログラミングされたプロセッサや、上記で説明した各機能を実行するよう設計されたＡＳＩＣ(Application  Specific  Integrated  Circuit)、ＤＳＰ（Digital  Signal  Processor）、ＦＰＧＡ（Field  Programmable  Gate  Array）や従来の回路モジュール等のデバイスを含むものとする。
【００５９】
実施形態及び各変形例で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６０】
また、実施形態及び各変形例で実行されるプログラムを、インターネット等のネットワークに接続されたコンピュータ上に格納し、ネットワーク経由でダウンロードさせることにより提供するように構成してもよい。また、実施形態及び各変形例の各装置で実行されるプログラムをインターネット等のネットワーク経由で提供または配布するように構成してもよい。
【００６１】
また、実施形態及び各変形例のプログラムを、ＲＯＭ等に予め組み込んで提供するように構成してもよい。
【００６２】
また、本発明の対象は、上述のＭＦＰ１のような複合機に限定されず、プリンタ（単体）、プロジェクタ、電子黒板、パソコン、サーバ、スマートフォンなど、電子機器全般である。
【００６３】
また、情報の表示手段は、上述の操作パネル２７に限定されず、操作入力を行わない表示装置であってもよい。
【符号の説明】
【００６４】
１…ＭＦＰ、２７…操作パネル、５１…処理部、５２…記憶部、５１１…参照手段、５１２…取得手段、５１３…受付手段、５１４…検索手段、５１５…提示手段。
【先行技術文献】
【特許文献】
【００６５】
【特許文献１】特開２００９−０９３３１２号公報
【図１】
2019164569.tif 000004
【図２】
2019164569.tif 000005
【図３】
2019164569.tif 000006
【図４】
2019164569.tif 000007
【図５】
2019164569.tif 000008
【図６】
2019164569.tif 000009
【図７】
2019164569.tif 000010
【図８】
2019164569.tif 000011
【図９】
2019164569.tif 000012
【図１０】
2019164569.tif 000013
【図１１】
2019164569.tif 000014